(57)【要約】      （修正有）【課題】逆方向音波イヤホンを提供する。【解決手段】イヤホン筐体１０と高音ユニット３０と低音ユニット４０とを含む逆方向音波イヤホン１であって、イヤホン筐体１０は内部空間１５と内部空間１５の両端に分けて設けられる放音部１７と反射部１９とを備え、反射部１９に受動型振動板５０を設ける。高音ユニット３０は、高音の音波を発生し、且つ放音方向が放音口１１１に向く。低音ユニット４０は、マウントブラケット２０で内部空間１５中に固設され、高音ユニット３０と受動型振動板５０の間に位置し、マウントブラケット２０とイヤホン筐体１０の間に１つの音透過エリアＣを形成しており、且つ低音の音波を発生し、その音波が受動型振動板５０に向かい、受動型振動板５０が低音の音波を反射して音透過エリアＣを経由して放音口１１１に到着する。【選択図】図６
0003199236.tif 000002
【実用新案登録請求の範囲】
【請求項１】
内部空間と前記内部空間の両端に分けて設けられる放音部と反射部とを備え、前記放音部の一端が放音口を有し、前記反射部に受動型振動板を設けるイヤホン筐体と、
前記イヤホン筐体内に設けられ、高音の音波を発生し、その放音方向が放音口に向く高音ユニットと、
マウントブラケットで前記イヤホン筐体の内部空間中に固設され、且つ前記高音ユニットと前記受動型振動板の間に位置し、前記マウントブラケットと前記イヤホン筐体の間に少なくとも１つの音透過エリアを形成しており、且つ低音の音波を発生し、その放音方向が前記受動型振動板に向かい、前記受動型振動板が低音の音波を反射して少なくとも１つの音透過エリアを経由して前記放音口に到着できる低音ユニットと、
を含むことを特徴とする逆方向音波イヤホン。
【請求項２】
前記マウントブラケットは、外周壁を含み、前記外周壁の半径方向外方への少なくとも２個の突起を突設し、前記少なくとも２個の突起の間に少なくとも１つの音透過エリアが形成され、前記マウントブラケットが前記少なくとも２個の突起で前記イヤホン筐体の内壁に固設されることを特徴とする請求項１に記載の逆方向音波イヤホン。
【請求項３】
前記少なくとも２個の突起が、等角度で前記外周壁上に配置されることを特徴とする請求項２に記載の逆方向音波イヤホン。
【請求項４】
前記マウントブラケットは、回路アセンブリを構設するための構設部を更に含み、前記回路アセンブリが前記高音ユニット或いは前記低音ユニットに電気的に接続することを特徴とする請求項１に記載の逆方向音波イヤホン。
【請求項５】
前記放音部は、音道を含み、且つ前記高音ユニットが前記音道内に設けられることを特徴とする請求項１に記載の逆方向音波イヤホン。
【請求項６】
前記放音部は、音道を含み、且つ前記高音ユニットが前記音道以外の前記内部空間中に設けられることを特徴とする請求項１に記載の逆方向音波イヤホン。
【請求項７】
前記イヤホン筐体は、パンチングネットを更に含み、前記パンチングネットが外部と前記受動型振動板の間を遮断することを特徴とする請求項１に記載の逆方向音波イヤホン。
【請求項８】
前記イヤホン筐体は、フロントハウジングとリアハウジングとを含み、前記放音部が前記フロントハウジングに位置し、前記反射部が前記リアハウジングに位置し、前記フロントハウジングにイヤーピースを更に連接し、前記イヤーピースが前記フロントハウジングの外部を嵌設することを特徴とする請求項１に記載の逆方向音波イヤホン。
【請求項９】
前記受動型振動板は、接続リングを通じて前記イヤホン筐体上に固設されることを特徴とする請求項１に記載の逆方向音波イヤホン。
【考案の詳細な説明】
【技術分野】
【０００１】
本考案は、イヤホン分野に関し、特に、イヤホン内部の低音ユニットの放音方向と高音ユニットの放音方向を逆方向とすることで、低音ユニットの放音を受動型振動板を通じて放音口まで反射させるものに関する。
【背景技術】
【０００２】
従来のイヤホンは、スペースの制限を受けるため、通常単一のスピーカユニットで駆動され、その利点はイヤホンの全体的な構造をより一層軽薄短小として設計することで、カナル型又は耳載せ型のイヤホン設計に合わせることができることにある。しかしながら、単一スピーカユニットは、通常特定の周波数帯において、良好な応答特性があるが、他の周波数帯の応答特性が余り理想的なものとなっていなかった。一般的に言うと、通常中低周波数帯の周波数応答特性が比較的良好であるが、高周波数帯の周波数応答特性が悪くなっていた。
【０００３】
よって、現在イヤホンにおいて周波数帯が異なる複数のスピーカユニットを用いて、周波数帯応答及び音の解像度が改善されてきた。しかしながら、イヤホンが全体的なスペースの制限を受け、通常異なるスピーカユニットから放音口に至る経路の距離がほぼ同じであるが、各音声周波数の聴覚に対する応答効果が異なり、例えば、同じ距離で、ユーザの低音に対する体感が比較的強いため、高音の分解能に影響を及ぼす。聴覚効果を調整するため、現在よく見られる方式は、駆動方式の変更或いはパッドの増加で、これは逆に異なる周波数帯スピーカユニットを用いる本意を失うことになり、全体的な収容空間も更に大きくする必要がある。よって、全体的な構造を変えず、且つ良好な周波数応答を実現するイヤホン構造が必要とされてきた。
【考案の概要】
【考案が解決しようとする課題】
【０００４】
そこで、本考案は、上記従来技術の問題点に鑑み、逆方向音波イヤホンを提供することを主な目的とする。
【課題を解決するための手段】
【０００５】
上記目的を達成するため、逆方向音波イヤホンは、内部空間と内部空間の両端に分けて設けられる放音部と反射部とを備え、放音部の一端が放音口を有し、反射部に受動型振動板を設けるイヤホン筐体と、イヤホン筐体内に設けられ、高音の音波を発生し、その放音方向が放音口に向く高音ユニットと、マウントブラケットでイヤホン筐体の内部空間中に固設され、且つ高音ユニットと受動型振動板の間に位置し、マウントブラケットとイヤホン筐体の間に少なくとも１つの音透過エリアを形成しており、且つ低音の音波を発生し、その放音方向が受動型振動板に向かい、受動型振動板が低音の音波を反射して少なくとも１つの音透過エリアを経由して放音口に到着できる低音ユニットと、を含む。
【０００６】
一実施例において、マウントブラケットは外周壁を含み、外周壁の半径方向外方への少なくとも２個の突起を突設する。突起の間に音透過エリアが形成され、マウントブラケットが突起でイヤホン筐体の内壁に固設される。更に、突起が等角度で外周壁上に配置される。
【０００７】
一実施例において、高音ユニットが放音部の音道内に設けられる。また他の実施例において、高音ユニットが音道以外の内部空間中に設けられる。
【０００８】
一実施例において、イヤホン筐体はパンチングネットを更に含み、パンチングネットが外部と受動型振動板の間を遮断することで、塵埃の侵入により受動型振動板の作動に影響を与えることを避ける。
【０００９】
一実施例において、イヤホン筐体はフロントハウジングとリアハウジングとを含み、放音部がフロントハウジングに位置し、反射部がリアハウジングに位置する。フロントハウジングにイヤーピースを更に連接し、イヤーピースがフロントハウジングの外部を嵌設する。
【００１０】
一実施例において、受動型振動板は接続リングを通じてイヤホン筐体上に設けられる。
【００１１】
一実施例において、マウントブラケットは回路アセンブリを構設するための構設部を更に含む。回路アセンブリが高音ユニット或いは低音ユニットに電気的に接続する。回路アセンブリ内は、調整回路を更に含み、高音の音波及び低音の音波の位相を同一に調整させることができる。
【考案の効果】
【００１２】
本考案の逆方向イヤホン構造は、主に受動型振動板を介して低音の音波を反射する機能を実現し、低音の音波が通過する経路の増長を通じて、構造全体の体積を増さないという前提において、ユーザに対してより一層微細な音の表現効果を提供できる。
【図面の簡単な説明】
【００１３】
【図１】本考案に係る逆方向音波イヤホンの立体図である。
【図２】本考案の実施例１に係る逆方向音波イヤホンの分解図である。
【図３】本考案の実施例１に係る逆方向音波イヤホンの立体断面図である。
【図４】本考案の実施例２に係る逆方向音波イヤホンの分解図である。
【図５】本考案の実施例２に係る逆方向音波イヤホンの立体断面図である。
【図６】本考案に係る逆方向音波イヤホンの音波断面模式図である。
【考案を実施するための形態】
【００１４】
図１乃至図５を参照すると、各々本考案に係る逆方向音波イヤホンの立体図、実施例１の分解図、実施例１の立体断面図、実施例２の分解図、及び実施例２の立体断面図である。図１乃至図５に示すように、本考案に係る逆方向音波イヤホン１は、イヤホン筐体１０とマウントブラケット２０と高音ユニット３０と低音ユニット４０と受動型振動板５０とを含む。
【００１５】
図２乃至図４に示すように、イヤホン筐体１０は、フロントハウジング１１とリアハウジング１３とを含む。フロントハウジング１１は、放音口１１１を含む。リアハウジング１３及びフロントハウジング１１が互いに組み立てられた後、内部空間１５を形成しており、放音部１７及び反射部１９が内部空間１５の両側に対向する。放音部１７がマウントブラケット２０と放音口１１１の間に位置する。放音部１７は、音道１７１を含み、且つ音道１７１と内部空間１５が連通する。受動型振動板５０が反射部１９に設けられる。更に、受動型振動板５０は接続リング５５を介してイヤホン筐体１０と連接する。
【００１６】
イヤホン筐体１０は、パンチングネット１３３を更に含むことができ、外部と受動型振動板５０の間を遮断することで、塵埃の侵入により受動型振動板５０の作動に影響を及ぼすことを避ける。このほかに、パンチングネット１３３は一部の透気性も提供する。図２乃至図５の実施例において、リアハウジング１３は、本体１３１とパンチングネット１３３とを含む。パンチングネット１３３は本体１３１と連接し、本体１３１の一側を封止でき、パンチングネット１３３及び低音ユニット４０の間に反射部１９を形成する。以上は例を示しただけであって、実際、リアハウジング１３も一体成形できる。
【００１７】
高音ユニット３０が、イヤホン筐体１０内に設けられ、更にフロントハウジング１１の内壁と係着できる。高音ユニット３０が、高音の音波を発生し、且つ放音口１１１に向かう放音方向を備える。図２及び図３に示すように、実施例１において、高音ユニット３０はフラット状のユニットとし、且つ音道１７１内に設けられることができる。この実施例において、高音ユニット３０は、可動鉄片形ユニット、平衡電機子ユニット或いは電機子ユニット等とすることができる。図４及び図５に示すように、実施例２において、高音ユニット３０は円盤状のユニットとし、且つ音道１７１以外の内部空間１５に設けられ、音道１７１に隣接できる。実施例２において、高音ユニット３０は、可動コイル形ユニット、可動鉄片形ユニット、圧電形ユニット等とすることができる。
【００１８】
マウントブラケット２０が内部空間１５内に設けられて、イヤホン筐体１０の内壁と係着する。図２乃至図５の実施例において、マウントブラケット２０は外周壁２１と少なくとも２個の突起２３と構設部２５とを含む。突起２３は半径方向外方へ外周壁２１上に突出され、また等角度で外周壁２１上に配置される。マウントブラケット２０は、突起２３を介してイヤホン筐体１０の内壁に固設され、また突起２３の間に少なくとも１つの音透過エリアＣを形成する。構設部２５は回路アセンブリ６０を構設するためのである。回路アセンブリ６０は、高音ユニット３０及び／或いは低音ユニット４０に電気的に接続する。実際、回路アセンブリ６０は、単一のプリント回路基板又は複数のプリント回路基板で実現できる。図２乃至図５に示すように、回路アセンブリ６０は、第１回路基板６１と第２回路基板６３とを含む。第１回路基板６１は高音ユニット３０に接続し、また第２回路基板６３が低音ユニット４０に接続する。以上のマウントブラケット２０の形状及び回路アセンブリ６０の配線接続方式は、例を示したことであって、本考案はこれに限らない。
【００１９】
低音ユニット４０は、マウントブラケット２０でイヤホン筐体１０の内部空間１５内に固設され、高音ユニット３０と受動型振動板５０の間に位置する。低音ユニット４０は、可動コイル形ユニット又は可動鉄片形ユニットとすることができる。図２及び図４に示されるように、低音ユニット４０を可動コイル形ユニットとして例にすると、低音ユニット４０は振動板４１とボイスコイル４２と銅リング４３とリベット４４とワッシャー４５とマグネット４６と鉄盤４７とを含む。振動板４１の第１表面４１１が受動型振動板５０に向く。ボイスコイル４２が振動板４１の第２表面４１３に連接し、第２表面４１３が第１表面４１１に対向する。マグネット４６及びワッシャー４５がリベット４４を介して鉄盤４７上に固定され、振動板４１が銅リング４３を介して鉄盤４７上に連接する。鉄盤４７が低音ユニット４０全体をマウントブラケット２０に固着する。以上は、例を示したことであって、本考案はこれに限らない。
【００２０】
図６を参照すると、本考案に係る逆方向音波イヤホンの音波断面模式図である。図６に示すように、高音ユニット３０は高音の音波Ｈを発生し、音道１７１を通過して放音口１１１に到着する。低音ユニット４０の振動板４１が低音の音波ＬＦを発生し、受動型振動板５０に向く。低音の音波ＬＦが受動型振動板５０によって反射した後、音透過エリアＣを経由して放音口１１１に到着する。
【００２１】
次に、回路アセンブリ６０、例えば第１回路基板６１及び第２回路基板６３の中に調整回路を更に含み、高音の音波Ｈ及び低音の音波ＬＦの位相を同一に調整させることができる。回路アセンブリ６０は、更に音声信号線Ｌに接続し、音声信号線Ｌが本体１３１上の導入口１３５を挿通した後、第１回路基板６１或いは第２回路基板６３と接続し、またイヤホン筐体１０に固定される。
【００２２】
このほかに、逆方向音波イヤホン１は、イヤーピース８０を更に含み、イヤーピース８０がフロントハウジング１１の外部を嵌設し、その機能はユーザが逆方向音波イヤホン１を装着するとより一層快適になる。イヤーピース８０は、放音口１１１に対応する開口部８１を含む。
【００２３】
本考案の逆方向イヤホン構造の主な技術的特徴は、受動型振動板を介して低音の音波を反射させ、構造全体の体積を増さないという前提において低音の音波が通過する経路の増長を通じて、周波数応答を最適化することで、ユーザに対してより一層微細な音の表現効果を提供する。
【００２４】
本考案の技術的内容は、好ましい実施例で上記通り開示され、そのような実施例により本考案の保護範囲が限定されるべきものではなく、当業者が本考案の精神から離れることなく種々の変更及び改変を為し得ることは、本考案の範囲に含めるものであるのが勿論である。よって本考案の保護範囲は、本明細書に添付する実用新案登録請求の範囲で定義しているものを基準とする。
【符号の説明】
【００２５】
１    逆方向音波イヤホン
１０  イヤホン筐体
１１  フロントハウジング
１１１    放音口
１３  リアハウジング
１３１    本体
１３３    パンチングネット
１３５    導入口
１５  内部空間
１７  放音部
１７１    音道
１９  反射部
２０  マウントブラケット
２１  外周壁
２３  突起
２５  構設部
３０  高音ユニット
４０  低音ユニット
４１  振動板
４１１    第１表面
４１３    第２表面
４２  ボイスコイル
４３  銅リング
４４  リベット
４５  ワッシャー
４６  マグネット
４７  鉄盤
５０  受動型振動板
５５  接続リング
６０  回路アセンブリ
６１  第１回路基板
６３  第２回路基板
８０  イヤーピース
８１  開口部
Ｃ    音透過エリア
Ｈ    高音の音波
Ｌ    音声信号線
ＬＦ  低音の音波
【図１】
0003199236.tif 000003
【図２】
0003199236.tif 000004
【図３】
0003199236.tif 000005
【図４】
0003199236.tif 000006
【図５】
0003199236.tif 000007
【図６】
0003199236.tif 000008